(57)【特許請求の範囲】
【請求項１】
給湯路が上部に接続され、かつ、水道水圧を用いて給水する給水路が底部に接続された貯湯タンクと、
その貯湯タンク内に湯水が温度成層を形成して貯湯されるように、貯湯タンクの底部から取り出した湯水を加熱手段にて加熱したのち、その温水を前記貯湯タンクの上部に供給する形態で湯水を循環させる貯湯運転状態と、前記加熱手段にて加熱した湯水の全量を外部放熱部に供給し、かつ、前記外部放熱部を通過した湯水の全量を前記貯湯タンクを迂回して前記加熱手段に直接戻す形態で湯水を循環させる放熱運転状態とに切り換え自在な湯水循環手段と、
前記湯水循環手段の運転を制御する制御手段とが設けられた貯湯式の給湯熱源装置であって、
前記湯水循環手段が、前記加熱手段にて加熱した湯水を前記貯湯タンクと前記外部放熱部とに分配供給し、かつ、前記外部放熱部を通過した湯水の全量を前記貯湯タンクを迂回して前記加熱手段に直接戻す形態で湯水を循環させる貯湯放熱並行運転状態に切り換え自在に構成され、
前記給湯路の上流側を介して前記貯湯タンクに連通接続されて、前記加熱手段にて加熱した湯水を前記貯湯タンクの上部に供給する貯湯用湯水供給路と、前記加熱手段にて加熱した湯水を前記外部放熱部に供給する放熱用湯水供給路との各々に開閉弁が設けられ、
前記制御手段が、前記貯湯用湯水供給路に設けた開閉弁と前記放熱用湯水供給路に設けた開閉弁とを周期的に択一的に開弁させることによって前記加熱手段にて加熱した湯水を前記貯湯タンクと外部放熱部とに分配供給して、前記貯湯放熱並行運転状態における前記湯水循環手段の運転を制御するように構成されている貯湯式の給湯熱源装置。
【請求項２】
前記貯湯運転状態で湯水を循環させる貯湯循環路が、前記貯湯タンクを途中に設けた貯湯用湯水流路と、前記加熱手段と循環ポンプとを途中に設けた加熱用湯水流路とを閉ループ状に接続して構成され、
前記外部放熱部を途中に設けた放熱用湯水流路が、前記貯湯循環路に前記貯湯用湯水流路と並列に接続され、
前記貯湯用湯水流路のうちの前記貯湯タンクよりも上流側の貯湯用湯水供給路と、前記放熱用湯水流路のうちの前記外部放熱部よりも上流側の放熱用湯水供給路との各々に、前記開閉弁が設けられ、
前記制御手段が、前記開閉弁の開閉状態を調節して、前記湯水循環手段の運転状態を、前記貯湯運転状態と前記放熱運転状態と前記貯湯放熱並行運転状態とに切り換えるように構成されている請求項１記載の貯湯式の給湯熱源装置。
【請求項３】
前記制御手段が、前記貯湯タンクの上部に供給する湯水の温度が貯湯許可温度未満のときは、前記加熱手段にて加熱した湯水の全量を前記外部放熱部に供給して、前記貯湯放熱並行運転状態における前記湯水循環手段の運転を制御するように構成されている請求項１又は２記載の貯湯式の給湯熱源装置。
【発明の詳細な説明】
【０００１】
【発明の属する技術分野】
本発明は、給湯路が上部に接続された貯湯タンクと、その貯湯タンク内に湯水が温度成層を形成して貯湯されるように、貯湯タンクの底部から取り出した湯水を加熱手段にて加熱したのち、その温水を前記貯湯タンクの上部に供給する形態で湯水を循環させる貯湯運転状態と、前記加熱手段にて加熱した湯水の全量を外部放熱部に供給し、かつ、前記外部放熱部を通過した湯水の全量を前記貯湯タンクを迂回して前記加熱手段に直接戻す形態で湯水を循環させる放熱運転状態とに切り換え自在な湯水循環手段と、前記湯水循環手段の運転を制御する制御手段とが設けられた貯湯式の給湯熱源装置に関する。
【０００２】
【従来の技術】
上記貯湯式の給湯熱源装置は、貯湯運転状態においても、放熱運転状態においても、加熱手段の加熱機能を活用できるようにしたものであり、従来、例えば特開平９−８９３６９号公報に記載されているように、貯湯運転状態で湯水を循環させる貯湯循環路を、貯湯タンクを途中に設けた貯湯用湯水流路と、加熱手段と循環ポンプとを途中に設けた加熱用湯水流路とを閉ループ状に接続して構成し、外部放熱部を途中に設けた放熱用湯水流路を、貯湯循環路に貯湯用湯水流路と並列に接続するとともに、貯湯循環路と放熱用湯水流路との接続箇所に流路切り換え手段を設けて、貯湯運転状態で湯水を循環させるときは、放熱用湯水流路に湯水が流れないように流路を切り換え、放熱運転状態で湯水を循環させるときは、貯湯用湯水流路に湯水が流れないように流路を切り換えるように構成している。
【０００３】
【発明が解決しようとする課題】
この為、貯湯タンクに貯湯しながら、外部放熱部で放熱させる状態で湯水循環手段を運転することができず、使い勝手が悪い欠点がある。
本発明は上記実情に鑑みてなされたものであって、貯湯式の給湯熱源装置の使い勝手を向上できるようにすることを目的とする。
【０００４】
【課題を解決するための手段】
請求項１記載の発明の特徴構成は、給湯路が上部に接続され、かつ、水道水圧を用いて給水する給水路が底部に接続された貯湯タンクと、その貯湯タンク内に湯水が温度成層を形成して貯湯されるように、貯湯タンクの底部から取り出した湯水を加熱手段にて加熱したのち、その温水を前記貯湯タンクの上部に供給する形態で湯水を循環させる貯湯運転状態と、前記加熱手段にて加熱した湯水の全量を外部放熱部に供給し、かつ、前記外部放熱部を通過した湯水の全量を前記貯湯タンクを迂回して前記加熱手段に直接戻す形態で湯水を循環させる放熱運転状態とに切り換え自在な湯水循環手段と、前記湯水循環手段の運転を制御する制御手段とが設けられた貯湯式の給湯熱源装置であって、
前記湯水循環手段が、前記加熱手段にて加熱した湯水を前記貯湯タンクと前記外部放熱部とに分配供給し、かつ、前記外部放熱部を通過した湯水の全量を前記貯湯タンクを迂回して前記加熱手段に直接戻す形態で湯水を循環させる貯湯放熱並行運転状態に切り換え自在に構成され、前記給湯路の上流側を介して前記貯湯タンクに連通接続されて、前記加熱手段にて加熱した湯水を前記貯湯タンクの上部に供給する貯湯用湯水供給路と、前記加熱手段にて加熱した湯水を前記外部放熱部に供給する放熱用湯水供給路との各々に開閉弁が設けられ、前記制御手段が、前記貯湯用湯水供給路に設けた開閉弁と前記放熱用湯水供給路に設けた開閉弁とを周期的に択一的に開弁させることによって前記加熱手段にて加熱した湯水を前記貯湯タンクと外部放熱部とに分配供給して、前記貯湯放熱並行運転状態における前記湯水循環手段の運転を制御するように構成されている点にある。
〔作用〕
貯湯タンクに貯湯しながら、外部放熱部で放熱させるときは、湯水循環手段を、加熱手段にて加熱した湯水を貯湯タンクと外部放熱部とに分配供給し、かつ、外部放熱部を通過した湯水の全量を貯湯タンクを迂回して加熱手段に直接戻す形態で湯水を循環させる貯湯放熱並行運転状態に切り換え、加熱手段にて加熱した湯水を貯湯タンクの上部に供給する貯湯用湯水供給路に設けた開閉弁と、加熱手段にて加熱した湯水を外部放熱部に供給する放熱用湯水供給路に設けた開閉弁とを周期的に択一的に開弁させることによって、加熱手段にて加熱した湯水を貯湯タンクと外部放熱部とに分配供給して、貯湯タンクに貯湯しながら、外部放熱部で放熱させる貯湯放熱並行運転状態で運転することができる。
〔効果〕
湯水循環手段を、貯湯運転状態と放熱運転状態と貯湯放熱並行運転状態とに必要に応じて切り換えて運転することができ、貯湯式の給湯熱源装置の使い勝手を向上できる。
その上、貯湯用湯水供給路に設けた開閉弁と放熱用湯水供給路に設けた開閉弁とを周期的に択一的に開弁させて、貯湯用湯水供給路に設けた開閉弁が閉弁中で、かつ、放熱用湯水供給路に設けた開閉弁の開弁中に、湯水を外部放熱部に供給するので、必要量の湯水を外部放熱部へ確実に供給できる。
【０００５】
請求項２記載の発明の特徴構成は、前記貯湯運転状態で湯水を循環させる貯湯循環路が、前記貯湯タンクを途中に設けた貯湯用湯水流路と、前記加熱手段と循環ポンプとを途中に設けた加熱用湯水流路とを閉ループ状に接続して構成され、前記外部放熱部を途中に設けた放熱用湯水流路が、前記貯湯循環路に前記貯湯用湯水流路と並列に接続され、前記貯湯用湯水流路のうちの前記貯湯タンクよりも上流側の貯湯用湯水供給路と、前記放熱用湯水流路のうちの前記外部放熱部よりも上流側の放熱用湯水供給路との各々に、前記開閉弁が設けられ、前記制御手段が、前記開閉弁の開閉状態を調節して、前記湯水循環手段の運転状態を、前記貯湯運転状態と前記放熱運転状態と前記貯湯放熱並行運転状態とに切り換えるように構成されている点にある。
〔作用〕
湯水循環手段を貯湯運転状態で運転するときは、貯湯用湯水供給路に設けた開閉弁を開弁するとともに、放熱用湯水供給路に設けた開閉弁を閉弁することによって、貯湯タンクの底部から取り出した湯水を加熱手段にて加熱したのち、その温水を貯湯タンクの上部に供給する形態で湯水を循環させることができ、湯水循環手段を放熱運転状態で運転するときは、貯湯用湯水供給路に設けた開閉弁を閉弁するとともに、放熱用湯水供給路に設けた開閉弁を開弁することによって、加熱手段にて加熱した湯水の全量を外部放熱部に供給し、かつ、外部放熱部を通過した湯水の全量を貯湯タンクを迂回して加熱手段に直接戻す形態で湯水を循環させることができ、湯水循環手段を貯湯放熱並行運転状態で運転するときは、貯湯用湯水供給路に設けた開閉弁と放熱用湯水供給路に設けた開閉弁とを周期的に択一的に開弁させることによって、加熱手段にて加熱した湯水を貯湯タンクと外部放熱部とに分配供給し、かつ、外部放熱部を通過した湯水の全量を貯湯タンクを迂回して加熱手段に直接戻す形態で湯水を循環させることができる。
〔効果〕
貯湯運転状態においても、放熱運転状態においても、貯湯放熱並行運転状態においても、共通の加熱手段の加熱機能を活用でき、貯湯式の給湯熱源装置の構造を簡略化できる。
【０００６】
請求項３記載の発明の特徴構成は、前記制御手段が、前記貯湯タンクの上部に供給する湯水の温度が貯湯許可温度未満のときは、前記加熱手段にて加熱した湯水の全量を前記外部放熱部に供給して、前記貯湯放熱並行運転状態における前記湯水循環手段の運転を制御するように構成されている点にある。
〔作用〕
湯水循環手段を貯湯放熱並行運転状態で運転しているときに、貯湯タンクの上部に供給する湯水の温度が貯湯許可温度未満のときは、加熱手段にて加熱した湯水の全量を外部放熱部に供給することができる。
〔効果〕
貯湯タンクの上部に供給する湯水の温度が貯湯許可温度未満のときは、その湯水が貯湯タンクの上部に供給されて貯湯温度が下がってしまうことを防止しながら、加熱手段にて加熱した湯水の全量を外部放熱部に供給して効率良く放熱させることができる。
【０００７】
【発明の実施の形態】
本発明にかかる貯湯式の給湯熱源装置の実施の形態をエンジンヒートポンプ式冷暖房給湯システムに適用した例を図面に基づいて説明する。
このエンジンヒートポンプ式冷暖房給湯システムは、図１，図２に示すように、貯湯タンク１内に温度成層を形成して貯湯された湯水を給湯したり、貯湯タンク内１の湯水を加熱して外部放熱部２にて放熱したりする貯湯ユニットＡと、室内の冷暖房をするエンジンヒートポンプ式冷暖房装置Ｂとから構成されている。
【０００８】
前記貯湯ユニットＡは、この貯湯ユニットＡの運転を制御する貯湯ユニット制御部Ｃ、貯湯タンク１、貯湯タンク１内の湯水を循環ポンプＰ１の作動で循環させる循環路３を備えた湯水循環手段Ｅ、循環路３を通流する湯水を加熱する加熱手段としての加熱部４、循環路３を通流する湯水と熱交換して放熱する外部放熱部２などから構成されている。
そして、循環路３が、加熱部４と循環ポンプＰ１とを途中に設けた加熱用湯水流路９６と、外部放熱部２を途中に設けた放熱用湯水流路９７とを閉ループ状に接続して構成され、循環ポンプＰ１の作動で貯湯タンク１内の湯水を循環路３にて循環させながら、加熱部４にて加熱したり、外部放熱部２にて放熱したりできるようにしてある。
【０００９】
前記貯湯タンク１には、その底部から貯湯タンク１に水道水圧を用いて給水する給水路５が接続され、その上部から風呂場や台所などに給湯するための給湯路６が接続され、風呂場や台所などで使用された量だけの水を給水路５から貯湯タンク１に給水するように構成されている。
また、貯湯タンク１の内側には、貯湯タンク１内の湯水の温度を特定高さ位置にて検出する４個の温度センサとしての貯湯温度サーミスタＳ１，Ｓ２，Ｓ３，Ｓ４が上下方向に分散配置して設けられている。
【００１０】
前記給湯路６には、給水路５から分岐された混合用給水路７が接続され、その接続箇所に給湯路６からの湯水と混合用給水路７からの水との混合比を調整自在なミキシングバルブ８が設けられている。
前記給水路５と混合用給水路７との分岐箇所には、給水温度を検出する給水サーミスタ９が設けられ、給水路５および混合用給水路７の夫々には、逆止弁１０が設けられている。
ちなみに、給湯路６には、オーバーフロー路１１が接続され、そのオーバーフロー路１１にエアー抜き弁１２が設けられている。
【００１１】
また、給湯路６におけるミキシングバルブ８よりも上流側には、貯湯タンク１の上部から給湯路６に給湯された湯水の温度を検出する貯湯出口サーミスタ１３が設けられ、給湯路６におけるミキシングバルブ８よりも下流側には、ミキシングバルブ８にて混合された湯水の温度を検出するミキシングサーミスタ１４、給湯路６の湯水の流量を調整する給湯用水比例バルブ１５が設けられている。
【００１２】
前記給湯用水比例バルブ１５よりも下流側の給湯路６が、台所や洗面所などの給湯栓に給湯する一般給湯路１６と、浴槽に湯水を供給するための湯張り路１７とに分岐され、湯張り路１７が浴槽からの風呂戻り路１８に接続され、風呂戻り路１８および風呂往き路１９の両路を通して浴槽に湯水を供給するようにしている。
前記一般給湯路１６には、一般給湯路１６を通流する湯水の流量を検出する給湯流量センサ２０が設けられ、湯張り路１７には、湯張り路１７を通流する湯水の流量を検出する湯張り流量センサ２１、湯張り電磁弁２２、バキュームブレーカ２３、湯張り逆止弁２４が上流側から順に設けられ、給湯流量センサ２０が一般給湯路１６における給湯流量を検出する給湯流量検出手段として設けられている。
【００１３】
前記循環路３と貯湯タンク１とが、循環路３を通流する湯水を貯湯タンク１内に戻す、または、貯湯タンク１内の湯水を循環路３に取り出すために、貯湯タンク１の上部１箇所と底部２箇所の合計３箇所で連通接続されている。
具体的に説明すると、貯湯タンク１の上部には、循環路３と貯湯タンク１とを接続する上部接続路２５が給湯路６の上流側を介して連通接続され、貯湯タンク１の底部には、循環路３を通流する湯水を給水路５の下流側を介して貯湯タンク１内の底部に戻す戻し路２６と、貯湯タンク１内の底部の湯水を循環路３に取り出す取り出し路２７とが連通接続されている。
【００１４】
そして、上部接続路２５には、電磁式の上部開閉弁２８が設けられ、戻し路２６には、戻し開閉弁２９が設けられ、上部開閉弁２８を開弁させることによって、循環路３を通流する湯水を貯湯タンク１内の上部に供給したり、貯湯タンク１内の上部の湯水を循環路３に取り出したりするようにし、戻し開閉弁２９を開弁させることによって、循環路３を通流する湯水を貯湯タンク１内の底部に戻すことができるようにしている。
ちなみに、取り出し路２７には、貯湯タンク１内の湯水を排水するための排水路３０が接続され、その排水路３０の途中部には、安全弁３１と手動バルブ３２とが並列に接続されている。
【００１５】
前記加熱部４は、エンジンヒートポンプ式冷暖房装置Ｂによる冷媒を供給して湯水を加熱するヒートポンプ式加熱器３３と、エンジンヒートポンプ式冷暖房装置Ｂのエンジン排熱を回収した冷却水を供給して湯水を加熱するエンジン排熱利用式加熱器３４と、バーナ３６の燃焼により湯水を加熱する補助加熱器３５とを設けて構成されている。
そして、循環路３の湯水の循環方向において上流側から順に、ヒートポンプ式加熱器３３、エンジン排熱利用式加熱器３４、補助加熱器３５が設けられている。
【００１６】
前記補助加熱器３５は、ガス燃焼式のバーナ３６に燃焼用空気を供給するファン３７などが設けられ、バーナ３６の燃焼により循環路３を通流する湯水を加熱するように構成されている。
前記バーナ３６に燃料ガスを供給する燃料供給路３８には、上流側から順にガスセフティ弁３９、ガス比例弁４０、ガスメイン弁４１が設けられている。
【００１７】
前記外部放熱部２は、循環路３を通流する湯水と暖房用の熱媒としての温水とを熱交換する暖房用熱交換部４２と、循環路３を通流する湯水と浴槽内の湯水とを熱交換して追焚きする風呂用熱交換部４３とを設けて構成されている。
そして、循環路３が、暖房用熱交換部４２を備えた暖房用循環路３ａと、風呂用熱交換部４３を備えた風呂用循環路３ｂとに分岐され、暖房用熱交換部４２と風呂用熱交換部４３とが並列に接続されている。
また、暖房用循環路３ａには、暖房用熱交換部４２よりも湯水の循環方向の上流側に電磁式の暖房用開閉弁４４が設けられ、風呂用循環路３ｂには、風呂用熱交換部４３よりも湯水の循環方向の上流側に電磁式の風呂用開閉弁４５が設けられている。
【００１８】
前記暖房用熱交換部４２には、暖房ポンプＰ２を作動させることにより、暖房戻り路４６および暖房往き路４７を通して循環する暖房用熱媒を、循環路３を通流する湯水にて加熱するように構成されている。
そして、暖房戻り路４６には、上流側から順に、暖房戻り路４６の暖房用熱媒の温度を検出する暖房戻りサーミスタ４８、補給水タンク４９、暖房ポンプＰ２が設けられ、暖房往き路４７には、暖房往き路４７の暖房用熱媒の温度を検出する暖房往きサーミスタ５０が設けられている。
【００１９】
前記補給水タンク４９には、水位の上限を検出する上限センサ５１と下限を検出する下限センサ５２とが設けられ、補給水タンク４９に給水するためのタンク給水路５３が接続され、そのタンク給水路５３には、補給水電磁弁５４が設けられている。
また、暖房戻り路４６の暖房用熱媒を暖房用熱交換部４２を迂回して暖房往き路４７に供給する暖房バイパス路５５が設けられている。
【００２０】
前記風呂用熱交換部４３は、風呂ポンプＰ３を作動させることにより、風呂戻り路１８および風呂往き路１９を通して循環する浴槽内の湯水を循環路３を通流する湯水にて加熱するように構成されている。
そして、風呂戻り路１８には、上流側から順に、浴槽内の湯水の水位を検出する水位センサ５６、風呂戻り路１８の湯水の温度を検出する風呂戻りサーミスタ５７、二方弁５８、風呂ポンプＰ３、風呂水流スイッチ５９が設けられている。
【００２１】
前記循環路３における戻り路２６との接続箇所と取り出し路２７との接続箇所との間には、外部放熱部２を通過した湯水のヒートポンプ式加熱器３３への通流を断続する電磁式のヒートポンプ用開閉弁６０が設けられ、エンジン排熱利用式加熱器３４と補助加熱器３５との間の部分に、補助加熱器３５に通流する湯水の温度を検出する入り温度サーミスタ６１、循環路３を通流する湯水の循環量Ｑを検出する循環量センサ６２、循環ポンプＰ１、補助加熱器３５への湯水の通流を断続する電磁式の補助用断続開閉弁６３が設けられている。
【００２２】
前記循環路３における補助用断続開閉弁６３と補助加熱器３５との間には、補助加熱器３５に通流する湯水の循環量Ｑを検出する水量センサ６４が設けられ、循環路３における補助加熱器３５と上部接続路２５との接続箇所との間には、循環路３を通流する湯水の循環量Ｑを調整する水比例バルブ６５、加熱部４にて加熱された後の循環路３の湯水の沸き上げ温度Ｔａを検出する貯湯サーミスタ６６が設けられている。
【００２３】
また、循環路３には、外部放熱部２を通過した湯水をヒートポンプ式加熱器３３を迂回してエンジン排熱利用式加熱器３４に流入させるためのヒートポンプ用バイパス路６７と、エンジン排熱利用式加熱器３４を通過した湯水を補助加熱器３５を迂回して循環させるための補助用バイパス路６８とが接続され、ヒートポンプ用バイパス路６７には、電磁式のヒートポンプバイパス開閉弁６９が設けられ、補助用バイパス路６８には、電磁式の補助バイパス開閉弁７０が設けられている。
【００２４】
そして、湯水循環手段Ｅが、循環路３、上部接続路２５、戻し路２６、取り出し路２７、循環ポンプＰ１、および、上部開閉弁２８、暖房用開閉弁４４、風呂用開閉弁４５、戻し開閉弁２９、ヒートポンプ用開閉弁６０、ヒートポンプバイパス開閉弁６９、補助用断続開閉弁６３、補助バイパス開閉弁７０などにより構成され、上部開閉弁２８、暖房用開閉弁４４、風呂用開閉弁４５、戻し開閉弁２９、ヒートポンプ用開閉弁６０、ヒートポンプバイパス開閉弁６９、補助用断続開閉弁６３、補助バイパス開閉弁７０の開閉操作により、貯湯タンク１の底部から取り出した湯水を加熱部４にて加熱したのち、その温水を貯湯タンク１の底部に戻す形態の貯湯初期運転状態で湯水を循環させる貯湯初期運転と、貯湯タンク１内に湯水が温度成層を形成して貯湯されるように、貯湯タンク１の底部から取り出した湯水を加熱部４にて加熱したのち、その温水を貯湯タンク１の上部に供給する形態の貯湯運転状態で湯水を循環させる貯湯運転と、加熱部４にて加熱した湯水を外部放熱部２に供給し、かつ、外部放熱部２を通過した湯水の全量を貯湯タンク１を迂回して加熱部４に直接戻す形態の放熱運転状態で湯水を循環させる放熱運転とに切り換え自在に構成されている。
【００２５】
また、循環調整手段Ｆが、給水サーミスタ９，入り温度サーミスタ６１，循環量センサ６２，水比例バルブ６５、貯湯サーミスタ６６，貯湯温度サーミスタＳ１，Ｓ２，Ｓ３，Ｓ４などにより構成され、貯湯タンク１に貯湯してある湯水を給湯路６を通して給湯する給湯手段Ｇが、貯湯出口サーミスタ１３、ミキシングバルブ８、給湯用水比例バルブ１５、給湯流量センサ２０、湯張り流量センサ２１、湯張り電磁弁２２などにより構成され、風呂操作手段Ｈが、水位センサ５６、風呂戻りサーミスタ５７、二方弁５８、風呂ポンプＰ３、風呂水流スイッチ５９などで構成され、暖房操作手段Ｊが、暖房戻りサーミスタ４８、暖房ポンプＰ２、暖房往きサーミスタ５０などで構成され、湯水循環手段Ｅにて貯湯タンク１の上部に供給される湯水の供給流量を検出する供給流量検出手段が、循環量センサ６２で構成されている。
【００２６】
従って、貯湯タンク１を途中に設けた貯湯用湯水流路９８が、上部接続路２５と取り出し路２７とで構成され、貯湯運転状態で湯水を循環させる貯湯循環路が、貯湯用湯水流路９８と加熱用湯水流路９６とを閉ループ状に接続して構成され、放熱用湯水流路９７が、貯湯循環路に貯湯用湯水流路９８と並列に接続されている。
また、貯湯用湯水流路９８のうちの貯湯タンク１よりも上流側の貯湯用湯水供給路である上部接続路２５には上部開閉弁２８が設けられ、放熱用湯水流路９７のうちの外部放熱部２よりも上流側の放熱用湯水供給路９９である、暖房用循環路３ａの暖房用熱交換部４２よりも上流側には暖房用開閉弁４４が設けられ、風呂用循環路３ｂのうちの風呂用熱交換部４３よりも上流側には風呂用開閉弁４５が設けられている。
【００２７】
前記貯湯ユニット制御部Ｃは、湯水循環手段Ｅの運転を制御することにより、貯湯タンク１の底部から取り出した湯水を加熱部４にて加熱したのち、その温水を貯湯タンク１の底部に戻したり、貯湯タンク１の底部から取り出した湯水を加熱部４にて加熱したのち、その温水を貯湯タンク１の上部に戻したり、循環路３を加熱部４と外部放熱部２とに亘って循環させたりするように構成されている。
【００２８】
前記エンジンヒートポンプ式冷暖房装置Ｂは、複数の室内機７１と室外機７２とを備えて、複数の空調対象空間を空調することができるように構成され、室内機７１と室外機７２と貯湯ユニットＡにおけるヒートポンプ式加熱器３３とが冷媒配管７３で接続され、エンジンヒートポンプ式冷暖房装置Ｂにおける冷媒をヒートポンプ式加熱器３３に供給できるように構成されている。
前記複数の室内機７１の夫々には、室内熱交換器７５、その室内熱交換器７５で温調した空気を空調対象空間へ送出する室内空調用送風機７６などが備えられている。
【００２９】
前記室外機７２には、電子膨張弁７４，８９、ガスエンジン７７、ガスエンジン７７にて駆動される冷媒圧縮機７８、アキュムレータ７９、四方弁８０、室外熱交換器８１、その室外熱交換器８２に対し外気を通風する室外空調用送風機８２、ラジエータ８３、ラジエータ用送風機８４、ヒートポンプ運転制御部Ｄなどが備えられている。
また、ガスエンジン７７の冷却用の冷却水をラジエータ８３との間で循環させる冷却水路８５が設けられ、この冷却水路８５にラジエター用ポンプＰ４とエンジン出口側での冷却水温度を検出する冷却水温度サーミスタ９５が設けられ、ガスエンジン７７の排熱を回収した冷却水を、加熱用冷却水路９１を通してエンジン排熱利用式加熱器３４に供給する加熱状態と、ラジエータ８３に供給して放熱される放熱状態とに切り換え自在な排熱切換機構８６が設けられている。
【００３０】
そして、ヒートポンプ運転手段Ｋが、ガスエンジン７７、電子膨張弁７４，８９、室内空調用送風機７６、冷媒圧縮機７８、四方弁８０、室外空調用送風機８２、低圧側の冷媒圧力を検出する低圧検出手段８７、高圧側の冷媒圧力を検出する高圧検出手段８８などにより構成され、冷却水循環手段Ｌが、冷却水路８５、加熱用冷却水路９１、ラジエータ用ポンプＰ４、ラジエータ用送風機８４、排熱切換機構８６、冷却水温度サーミスタ９５などにより構成されている。
【００３１】
前記貯湯ユニット制御部Ｃとヒートポンプ運転制御部Ｄとは、エンジンヒートポンプ式冷暖房装置Ｂが空調運転中であることや、エンジンヒートポンプ式冷暖房装置Ｂへの駆動要求などの制御信号を送受信可能に構成にされ、図３に示すように、空調対象空間としての各部屋に設置されている空調リモコン９３および貯湯リモコン９２の指令に基づいて、空調対象空間への空調冷房運転や空調暖房運転などの空調運転、貯湯タンク１内に湯水を貯湯する貯湯運転、外部放熱部２にて放熱する放熱運転、貯湯タンク１内の貯湯量が最低確保量未満のときに給湯する給湯優先運転などの運転制御を実行するように構成されている。
【００３２】
前記エンジンヒートポンプ式冷暖房装置Ｂの運転について説明すると、空調リモコン９３から空調冷房要求や空調暖房要求などの空調要求があると、ヒートポンプ運転制御部Ｄがヒートポンプ運転手段Ｋおよび冷却水循環手段Ｌの運転を制御し、空調リモコン９３による空調要求に基づいて、ガスエンジン７７により圧縮機７８を作動させて、四方弁８０の切換え操作により空調冷房運転と空調暖房運転とを選択切換え、室内機７１の電子膨張弁７４の開閉制御により、各空調対象空間への空調を切り換えて、ヒートポンプ運転手段Ｋを制御するように構成されている。
【００３３】
すなわち、ヒートポンプ運転制御部Ｄは、空調リモコン９３から空調冷房要求があると、空調冷房要求がある部屋に相当する電子膨張弁７４を開状態にして、室内熱交換器７５を蒸発器として機能させて、空調対象空間への供給空気を冷却温調し、室外熱交換器８１を凝縮器として機能させて外気に対して放熱させるように、ヒートポンプ運転手段Ｋを制御して空調冷房運転を実行する。
また、ヒートポンプ運転制御部Ｄは、空調リモコン９３から空調暖房要求があると、空調暖房要求がある部屋に相当する電子膨張弁７４を開状態にして、室内熱交換器７５を凝縮器として機能させて、空調対象空間への供給空気を加熱温調し、室外熱交換器８１を蒸発器として機能させて外気から吸熱させるように、ヒートポンプ運転手段Ｋを制御して空調暖房運転を実行する。
【００３４】
尚、ヒートポンプ運転制御部Ｄは、空調冷房運転においても、空調暖房運転においても、冷媒圧力が設定目標圧力になるように、冷媒圧縮機７８の回転速度を、検出した冷媒圧力と設定目標圧力との偏差に基づいてフィードバック制御し、その制御における時定数は充分大きく設定されていて、回転速度の増減変更は緩やかな速度で行われる。
【００３５】
そして、冷却水循環手段Ｌは、空調冷房運転において、ラジエータ用ポンプＰ４を作動させ、ラジエータ用送風機８４を作動させラジエータ８３にて放熱させるようにし、エンジン排熱利用式加熱器３４にて加熱可能なときには、冷却水路８５を通流する冷却水が加熱用設定温度以上になると、排熱切換機構８６を加熱状態に切り換えて、冷却水をエンジン排熱利用式加熱器３４に供給するようにしている。
また、空調暖房運転において、ラジエータ用ポンプＰ４を作動させ、ラジエータ用送風機８４を作動させラジエータ８３にて放熱させるようにし、エンジン排熱利用式加熱器３４にて加熱可能なときには、暖房負荷が小さくかつ冷却水路８５を通流する冷却水が加熱用設定温度以上になると、排熱切換機構８６を加熱状態に切り換えて、冷却水をエンジン排熱利用式加熱器３４に供給するようにしている。
【００３６】
前記空調冷房運転においては、室内熱交換器７５を蒸発器として機能させて空調対象空間への供給空気を冷却温調し、室外熱交換器８１を凝縮器として機能させて外気に対して放熱するようにしている。
この空調冷房運転では、ヒートポンプ運転制御部Ｄは、低圧検出手段８７の検出情報に基づいて、その検出圧力が冷房用の目標圧力になるようにガスエンジン７７の回転速度を制御するようにしている。
また、空調冷房運転において、ヒートポンプ運転制御部Ｄは、排熱切換機構８６を加熱状態に切り換えて冷却水をエンジン排熱利用式加熱器３４に供給し、循環路３を通流する湯水をエンジン排熱で加熱するようにしている。
【００３７】
前記空調冷房運転における冷媒の流れについて説明を加えると、冷媒圧縮機７８から吐出される高圧乾き蒸気冷媒を、四方弁８０を介して室外熱交換器８１に供給し、この室外熱交換器８１において外気との熱交換により凝縮される。
そして、室外熱交換器８１から送出される凝縮工程通過冷媒を、電子膨張弁７４を介して室内熱交換器７５に供給し、この室内熱交換器７５において冷却対象空気との熱交換により蒸発される。
その後、室内熱交換器７５から送出される低圧乾き蒸気冷媒を、四方弁８０およびアキュムレータ７９を介して冷媒圧縮機７８の吸入口に戻す。
【００３８】
前記空調暖房運転においては、室内熱交換器７５を凝縮器として機能させて空調対象空間への供給空気を加熱温調し、室外熱交換器８１を蒸発器として機能させて外気から吸熱するようにしている。
この空調暖房運転では、ヒートポンプ運転制御部Ｄは、高圧検出手段８８の検出情報に基づいて、その検出圧力が暖房用の目標圧力になるようにガスエンジン７７の回転速度を制御するようにしている。
また、この空調暖房運転において、加熱用冷媒配管９０を通してヒートポンプ式加熱器３３に高圧冷媒を供給する加熱用運転により、循環路３を通流する湯水を加熱するようにしている。
【００３９】
前記空調暖房運転における冷媒の流れについて説明を加えると、電子膨張弁７４，８９が所定開度になるように制御する初期制御を行い、高圧検出手段８８の検出圧力が目標圧力になるように、ガスエンジン７７の回転数を増減して、冷媒圧縮機７８の回転速度を制御し、冷媒圧縮機７８から吐出される高圧乾き蒸気冷媒を、四方弁８０を介して室内熱交換器７５およびヒートポンプ式加熱器３３に供給し、室内熱交換器７５においては加熱対象空気との熱交換により凝縮され、ヒートポンプ式加熱器３３においては循環路３の湯水との熱交換により凝縮される。
【００４０】
そして、室内熱交換器７５から送出される凝縮工程通過冷媒を、電子膨張弁７４を介して室外熱交換器８１に供給するとともに、ヒートポンプ式加熱器３３から送出される凝縮工程通過冷媒を、電子膨張弁８９を介して室外熱交換器８１に供給して、この室外熱交換器８１において外気との熱交換により蒸発される。
その後、室外熱交換器８１から送出される低圧乾き蒸気冷媒を四方弁８０およびアキュムレータ７９を介して冷媒圧縮機７８の吸入口に戻す。
【００４１】
尚、電子膨張弁７４，８９の初期制御が完了したあとは、室内熱交換器７５やヒートポンプ式加熱器３３の下流側における冷媒温度を冷媒温度センサ９６で検出して、この検出温度が飽和液温度から所定値を引いた目標温度になるように、電子膨張弁７４，８９の開度を調整するサブクール制御を実行する。
つまり、サブクール制御は、室内熱交換器７５やヒートポンプ式加熱器３３で凝縮して放熱し、その結果、冷却された冷媒の温度を冷媒温度センサ９６で検出して、その検出温度が、高圧検出手段８８で検出した検出圧力を基にして予めメモリに記憶されているデータから求まる飽和液温度よりも、所定値( サブクール値) だけ低くなるように電子膨張弁７４，８９の開度を調整する。
【００４２】
そして、飽和液温度から所定値を引いた目標温度に対して冷媒温度センサ９６による検出温度が高いほど、電子膨張弁７４，８９の開度を小さくすることにより、冷媒の循環量が減少して、その分、所定冷媒量当たりの放熱量が増加して冷媒温度センサ９６による検出温度が低下し、かつ、高圧検出手段８８による検出圧力が増加して飽和液温度が上昇して、冷媒温度センサ９６による検出温度を目標温度と略同等にすることができる。
また、目標温度に対して冷媒温度センサ９６による検出温度が低いほど、電子膨張弁７４，８９の開度を大きくすることにより、冷媒の循環量が増加して、その分、所定冷媒量当たりの放熱量が減少して冷媒温度センサ９６による検出温度が上昇し、かつ、高圧検出手段８８による検出圧力が減少して飽和液温度が低下して、冷媒温度センサ９６による検出温度を目標温度と略同等にすることができる。
【００４３】
また、貯湯ユニット制御部Ｃには、貯湯タンク１内の貯湯量を検出する貯湯量検出手段Ｍや、貯湯タンク１に貯湯する目標貯湯量を設定する目標貯湯量設定手段Ｎなどが設けられている。
前記貯湯量検出手段Ｍと目標貯湯量設定手段Ｎはプログラム形式で設けられ、貯湯量検出手段Ｍは、貯湯温度サーミスタＳ１，Ｓ２，Ｓ３，Ｓ４のうちで貯湯設定温度Ｔｅ以上の温度を検出する最下位の貯湯温度サーミスタがいずれの貯湯温度サーミスタＳ１，Ｓ２，Ｓ３，Ｓ４であるかにより、その貯湯温度サーミスタＳ１，Ｓ２，Ｓ３，Ｓ４の検出位置に対応する量として予め設定されている量の湯水を貯湯量として検出するように構成され、目標貯湯量設定手段Ｎは、４個の貯湯温度サーミスタＳ１，Ｓ２，Ｓ３，Ｓ４のいずれかに対応する貯湯量を目標貯湯量として設定するように構成されている。
【００４４】
そして、最上部の貯湯温度サーミスタＳ１に対応する貯湯量が最低確保量として、上から２番目の貯湯温度サーミスタＳ２に対応する貯湯量が小貯湯量として、上から３番目の貯湯温度サーミスタＳ３に対応する貯湯量が中貯湯量として、また、最下部の貯湯温度サーミスタＳ４に対応する貯湯量が最大貯湯量として、夫々、予め設定されている。
尚、本実施形態では、最低確保量が１７リットル、小貯湯量が３０リットル、中貯湯量が７０リットル、最大貯湯量が１１３リットルとして設定されている。
【００４５】
次に、貯湯ユニットＡの運転について説明すると、貯湯リモコン９２の要求指令やヒートポンプ運転手段Ｋの運転状態などに基づいて、貯湯ユニット制御部Ｃが、湯水循環手段Ｅ、循環調整手段Ｆ、給湯手段Ｇ、風呂操作手段Ｈ、暖房操作手段Ｊ、補助加熱器３４の夫々の運転を制御して、貯湯運転、放熱運転、および、給湯優先運転などの運転を実行するように構成されている。
【００４６】
前記湯水循環手段Ｅについて具体的に説明すると、この湯水循環手段Ｅは、貯湯タンク１に湯水を貯湯するときに、貯湯運転状態としてのヒートポンプ貯湯運転状態( 以下、ＨＰ貯湯運転状態という) 、排熱貯湯運転状態および補助加熱貯湯運転状態、貯湯初期運転状態としてのヒートポンプ貯湯初期運転状態( 以下、ＨＰ貯湯初期運転状態という) 、排熱貯湯初期運転状態および補助加熱貯湯初期運転状態の夫々に切り換えられ、外部放熱部２にて放熱するときに、放熱運転状態としての追焚き単独運転状態、暖房単独運転状態、追焚き・暖房同時運転状態、貯湯タンク１に湯水を貯湯しながら外部放熱部２にて放熱する貯湯放熱並行運転状態の夫々に切り換えられるように構成されている。
【００４７】
そして、貯湯タンク１に湯水を貯湯するときには、ヒートポンプ式加熱器３３、エンジン排熱利用式加熱器３４または補助加熱器３５にて加熱された湯水の温度が貯湯許容温度に満たないときには、ＨＰ貯湯初期運転状態、排熱貯湯初期運転状態または補助加熱貯湯初期運転状態に切り換えて貯湯タンク１内の湯水を循環させ、ヒートポンプ式加熱器３３、エンジン排熱利用式加熱器３４または補助加熱器３５にて加熱された湯水の温度が貯湯許容温度になると、ＨＰ貯湯運転状態、排熱貯湯運転状態または補助加熱貯湯運転状態に切り換えて貯湯タンク１に貯湯するようにしている。
【００４８】
また、外部放熱部２にて放熱するときには、追焚き要求のみの要求があると、追焚き単独運転状態に切り換え、暖房要求のみの要求があると、暖房単独運転状態に切り換え、追焚き要求および暖房要求の両要求があると、追焚き・暖房同時運転状態に切り換え、追焚き単独運転中に貯湯量が最低確保量未満の状態で給湯されると、貯湯放熱並行運転状態としての貯湯・追焚き同時運転状態に切り換え、暖房単独運転中に貯湯量が最低確保量未満の状態で給湯されると、貯湯放熱並行運転状態としての貯湯・暖房同時運転状態に切り換え、追焚き・暖房同時運転中に貯湯量が最低確保量未満の状態で給湯されると、貯湯放熱並行運転状態としての貯湯・追焚き・暖房同時運転状態に切り換えるようにしている。
【００４９】
以下、湯水循環手段Ｅの夫々の状態について説明を加える。
なお、この湯水循環手段Ｅの夫々の状態における説明において、上部開閉弁２８、戻し開閉弁２９、暖房用開閉弁４４、風呂用開閉弁４５、ヒートポンプ用開閉弁６０、補助用断続開閉弁６３、ヒートポンプバイパス開閉弁６９，および、補助バイパス開閉弁７０の開閉状態について、開弁させる開閉弁のみを記載し、記載していない開閉弁については閉弁させるものとする。
【００５０】
前記ＨＰ貯湯運転状態においては、上部開閉弁２８および補助バイパス開閉弁７０を開弁させるとともに、循環ポンプＰ１を作動させ、貯湯タンク１内に湯水が温度成層を形成して貯湯させるように、貯湯タンク１の底部から取り出した湯水をヒートポンプ式加熱器３３にて加熱したのち、その温水を補助加熱器３５を迂回して貯湯タンク１の上部に戻すようにしている。
【００５１】
前記排熱貯湯運転状態においては、上部開閉弁２８および補助バイパス開閉弁７０を開弁させるとともに、循環ポンプＰ１を作動させ、貯湯タンク１内に湯水が温度成層を形成して貯湯させるように、貯湯タンク１の底部から取り出した湯水をエンジン排熱利用式加熱器３４にて加熱したのち、その温水を補助加熱器３５を迂回して貯湯タンク１の上部に戻すようにしている。
【００５２】
前記補助加熱貯湯運転状態においては、上部開閉弁２８および補助用断続開閉弁６３を開弁させるとともに、循環ポンプＰ１を作動させ、貯湯タンク１内に湯水が温度成層を形成して貯湯させるように、貯湯タンク１の底部から取り出した湯水を補助加熱器３５にて加熱したのち、その温水を貯湯タンク１の上部に戻すようにしている。
【００５３】
前記ＨＰ貯湯初期状態においては、戻し開閉弁２９、暖房用開閉弁４４および補助バイパス開閉弁７０を開弁させるとともに、循環ポンプＰ１を作動させ、貯湯タンク１の底部から取り出した湯水をヒートポンプ式加熱器３３にて加熱したのち、その湯水を補助加熱器３５を迂回して貯湯タンク１の底部に戻すようにしている。
【００５４】
前記排熱貯湯初期運転状態においては、戻し開閉弁２９、暖房用開閉弁４４および補助バイパス開閉弁７０を開弁させるとともに、循環ポンプＰ１を作動させ、貯湯タンク１の底部から取り出した湯水をエンジン排熱利用式加熱器３４にて加熱したのち、その湯水を補助加熱器３５を迂回して貯湯タンク１の底部に戻すようにしている。
【００５５】
前記補助加熱貯湯初期運転状態においては、戻し開閉弁２９、暖房用開閉弁４４および補助用断続開閉弁６３を開弁させるとともに、循環ポンプＰ１を作動させ、貯湯タンク１の底部から取り出した湯水を補助加熱器３５にて加熱したのち、その湯水を貯湯タンク１の底部に戻すようにしている。
【００５６】
前記追焚き単独運転状態においては、ヒートポンプ式加熱器３３にて加熱するときは、風呂用開閉弁４５、ヒートポンプ用開閉弁６０および補助バイパス開閉弁７０を開弁させるとともに、循環ポンプＰ１を作動させて、ヒートポンプ式加熱器３３にて加熱された温水の全量を風呂用熱交換部４３にて放熱させたのち、その風呂用熱交換部４３を通過した湯水の全量を貯湯タンク１を迂回してヒートポンプ式加熱器３３に戻し、補助加熱器３５にて加熱するときは、風呂用開閉弁４５、補助用断続開閉弁６３およびヒートポンプバイパス開閉弁６９を開弁させるとともに、循環ポンプＰ１を作動させて、補助加熱器３５にて加熱された温水の全量を風呂用熱交換部４３にて放熱させたのち、その風呂用熱交換部４３を通過した湯水の全量を貯湯タンク１とヒートポンプ式加熱器３３とを迂回して補助加熱器３５に戻すようにしている。
【００５７】
前記暖房単独運転状態においては、暖房用開閉弁４４、補助用断続開閉弁６３およびヒートポンプバイパス開閉弁６９を開弁させるとともに、循環ポンプＰ１を作動させ、補助加熱器３５にて加熱された温水の全量を暖房用熱交換部４２にて放熱させたのち、その暖房用熱交換部４２を通過した湯水の全量を貯湯タンク１とヒートポンプ式加熱器３３とを迂回して補助加熱器３５に戻すようにしている。
前記追焚き・暖房同時運転状態においては、暖房用開閉弁４４、風呂用開閉弁４５、補助用断続開閉弁６３およびヒートポンプバイパス開閉弁６９を開弁させるとともに、循環ポンプＰ１を作動させ、補助加熱器３５にて加熱された温水の全量を風呂用熱交換部４３および暖房用熱交換部４２にて放熱させたのち、その風呂用熱交換部４３と暖房用熱交換部４２とを通過した湯水の全量を貯湯タンク１とヒートポンプ式加熱器３３とを迂回して補助加熱器３５に戻すようにしている。
【００５８】
前記貯湯・追焚き同時運転状態においては、上部開閉弁２８、風呂用開閉弁４５、補助用断続開閉弁６３およびヒートポンプバイパス開閉弁６９を開弁させるとともに、循環ポンプＰ１を作動させ、補助加熱器３５にて加熱された温水を貯湯タンク１と風呂用熱交換部４３とに分配供給して、貯湯タンク１の上部に貯湯しながら、風呂用熱交換部４３に供給した湯水を放熱させたのち、その風呂用熱交換部４３を通過した湯水の全量を貯湯タンク１とヒートポンプ式加熱器３３とを迂回して、貯湯タンク１の底部から取り出した湯水に合流させる状態で補助加熱器３５に戻すようにしている。
【００５９】
前記貯湯・暖房同時運転状態においては、上部開閉弁２８、暖房用開閉弁４４、補助用断続開閉弁６３およびヒートポンプバイパス開閉弁６９を開弁させるとともに、循環ポンプＰ１を作動させ、補助加熱器３５にて加熱された温水を貯湯タンク１と暖房用熱交換部４２とに分配供給して、貯湯タンク１の上部に貯湯しながら、暖房用熱交換部４２に供給した湯水を放熱させたのち、その暖房用熱交換部４２を通過した湯水の全量を貯湯タンク１とヒートポンプ式加熱器３３とを迂回して、貯湯タンク１の底部から取り出した湯水に合流させる状態で補助加熱器３５に戻すようにしている。
【００６０】
前記貯湯・追焚き・暖房同時運転状態においては、上部開閉弁２８、暖房用開閉弁４４、風呂用開閉弁４５、補助用断続開閉弁６３およびヒートポンプバイパス開閉弁６９を開弁させるとともに、循環ポンプＰ１を作動させ、補助加熱器３５にて加熱された温水を貯湯タンク１と暖房用熱交換部４２と風呂用熱交換部４３とに分配供給して、貯湯タンク１の上部に貯湯しながら、暖房用熱交換部４２と風呂用熱交換部４３とに供給した湯水を放熱させたのち、その暖房用熱交換部４２と風呂用熱交換部４３とを通過した湯水の全量を貯湯タンク１とヒートポンプ式加熱器３３とを迂回して、貯湯タンク１の底部から取り出した湯水に合流させる状態で補助加熱器３５に戻すようにしている。
【００６１】
前記貯湯ユニットＡの制御動作について、図４〜１２のフローチャートに基づいて説明する。
前記貯湯ユニットＡは、図４のフローチャートに示すように、貯湯タンク１の貯湯量が最低確保量未満であって、かつ、給湯栓が開操作されて給湯中であると、給湯優先運転を実行し、貯湯タンク１の貯湯量が最低確保量以上であるか、給湯中でなければ、給湯優先運転を実行していると、補助加熱器３５の運転および循環ポンプＰ１の作動を停止させて給湯優先運転停止処理を実行する。
そして、暖房要求や追焚き要求などの放熱要求があると、放熱運転を実行し、貯湯要求があると、貯湯運転を実行し、エンジンヒートポンプ式冷暖房装置Ｂが運転中で、エンジン排熱を回収した冷却水の温度が所定温度以上であれば、排熱貯湯運転を実行する。
【００６２】
前記給湯優先運転は、貯湯タンク１の貯湯量が最低確保量未満のときに、給湯栓などに給湯するときに実行され、湯水循環手段Ｅを補助加熱貯湯運転状態に切り換え、補助加熱器３５にて加熱された湯水を上部接続路２５から給湯路６に給湯しながら、給湯目標温度、貯湯出口サーミスタ１３および給水サーミスタ９の検出情報に基づいて、給湯する湯水の温度が給湯目標温度になるようにミキシングバルブ８の開度を調整するとともに、ミキシングサーミスタ１４の検出情報に基づいて、その検出温度と給湯目標温度との偏差に基づいてミキシングバルブ８の開度を微調整することにより、給湯目標温度の湯水を給湯するようにしている。
【００６３】
ちなみに、浴槽に湯張りを行うときには、給湯優先運転と同様に、貯湯タンク１の貯湯量が最低確保量未満のときに、給湯栓などに給湯するときに実行され、給湯目標温度、貯湯出口サーミスタ１３および給水サーミスタ９の検出情報に基づいて、給湯する湯水の温度が給湯目標温度になるようにミキシングバルブ８の開度を調整するとともに、ミキシングサーミスタ１４の検出情報に基づいて、その検出温度と給湯目標温度との偏差に基づいてミキシングバルブ８の開度を微調整するとともに、湯張り電磁弁２２を開弁させ、ミキシングバブル８にて給湯目標温度に調整された湯水を風呂戻り路１８および風呂往き路１９の両路から浴槽に供給し、浴槽内に湯張り設定量の湯水が供給されると、湯張り電磁弁２２を閉弁させるようにしている。
【００６４】
前記放熱運転の制御動作について、図５のフローチャートに基づいて説明を加えると、貯湯タンク１の貯湯量が最低確保量未満であって、かつ、給湯栓が開操作されて給湯中であると、給湯優先運転を実行する。
貯湯タンク１の貯湯量が最低確保量以上であるか、給湯中でなければ、給湯優先運転を実行していると、補助加熱器３５の運転および循環ポンプＰ１の作動を停止させて給湯優先運転停止処理を実行する。
【００６５】
そして、追焚き要求がありかつ暖房要求がないときには、追焚き運転を実行し、追焚き要求および暖房要求の両要求があるときには、追焚き・暖房運転を実行し、追焚き要求がなくかつ暖房要求があるときには、暖房運転を実行する。
このようにして、追焚き要求および暖房要求のいずれかまたは両方が要求されているかによって、その要求に応えるべく、追焚き運転、暖房運転、追焚き・暖房運転の夫々の運転を実行し、追焚き要求および暖房要求のいずれかまたは両方が満たされて要求が完了すると、湯水循環手段Ｅおよび補助加熱器３５の運転を停止させる放熱停止処理を実行する。
【００６６】
前記追焚き運転は、図６のフローチャートに示すように、給湯栓が開操作されて給湯中で、かつ、貯湯タンク１の貯湯量が最低確保量未満であれば貯湯・追焚き同時運転を実行し、給湯中でないときや、給湯中であっても貯湯量が最低確保量以上であれば、追焚き単独運転を実行する。
前記暖房運転は、図７のフローチャートに示すように、給湯栓が開操作されて給湯中で、かつ、貯湯タンク１の貯湯量が最低確保量未満であれば貯湯・暖房同時運転を実行し、給湯中でないときや、給湯中であっても貯湯量が最低確保量以上であれば、暖房単独運転を実行する。
前記追焚き・暖房運転は、図８のフローチャートに示すように、給湯栓が開操作されて給湯中で、かつ、貯湯タンク１の貯湯量が最低確保量未満であれば貯湯・追焚き・暖房同時運転を実行し、給湯中でないときや、給湯中であっても貯湯量が最低確保量以上であれば、追焚き・暖房同時運転を実行する。
【００６７】
前記追焚き単独運転について具体的に説明すると、湯水循環手段Ｅを追焚き単独運転状態に切り換え、かつ、貯湯サーミスタ６６による検出温度が追焚き用設定温度になるようにファン３７の回転速度およびガス比例弁４０の開度を調整するとともに、風呂ポンプＰ３を作動させて浴槽内の湯水を風呂戻り路１８および風呂往き路１９を通して循環させる。
そして、風呂用熱交換部４３にて浴槽内の湯水を加熱して追焚きし、風呂戻りサーミスタ５７の検出温度が追焚き用設定温度以上になると、風呂ポンプＰ３の作動を停止するとともに、補助加熱器３５の運転および湯水循環手段Ｅの運転を停止させる。
【００６８】
前記暖房単独運転について具体的に説明すると、湯水循環手段Ｅを暖房単独運転状態に切り換え、かつ、貯湯サーミスタ６６による検出温度が暖房用設定温度になるようにファン３７の回転速度およびガス比例弁４０の開度を調整するとともに、暖房ポンプＰ２を作動させて暖房端末からの熱媒を暖房戻り路４６および暖房往き路４７を通して循環させ、暖房用熱交換部４２にて熱媒を加熱して暖房端末に供給するようにしている。
【００６９】
前記追焚き・暖房同時運転について具体的に説明すると、湯水循環手段Ｅを追焚き・暖房同時運転状態に切り換え、かつ、貯湯サーミスタ６６による検出温度が追焚き・暖房同時用設定温度になるようにファン３７の回転速度およびガス比例弁４０の開度を調整するとともに、風呂ポンプＰ３を作動させて浴槽内の湯水を風呂戻り路１８および風呂往き路１９を通して循環させ、かつ、暖房ポンプＰ２を作動させて暖房端末からの熱媒を暖房戻り路４６および暖房往き路４７を通して循環させる。
そして、浴槽の湯水を追焚きするとともに、暖房端末に暖房用熱交換部４２にて加熱された熱媒を供給するようにしている。
【００７０】
前記貯湯・追焚き同時運転は、図９のフローチャートに示すように、湯水循環手段Ｅを貯湯・追焚き同時運転状態に切り換えて、循環ポンプＰ１を作動させるとともに、風呂ポンプＰ３を作動させて浴槽内の湯水を風呂戻り路１８および風呂往き路１９を通して循環させる( ステップ＃１〜＃３) 。
そして、補助加熱器３５を一定出力（３４０kcal/min( 約１．４３×１０6 Ｊ/min))で運転して、循環量が貯湯サーミスタ６６による検出温度が貯湯許可温度Ｔｂとなる循環量になるように水比例バルブ６５の開度を調整するとともに、上部開閉弁２８と風呂用開閉弁４５とを追焚き負荷に応じて、つまり、追焚き負荷が大きいほど風呂用開閉弁４５の開弁時間の割合が大きくなるように周期的に択一的に開弁させる開閉弁開閉作動により、補助加熱器３５にて加熱した湯水を貯湯タンク１と風呂用熱交換部４３とに分配供給する( ステップ＃４，＃５) 。
また、貯湯タンク１の上部に供給する湯水の温度、つまり、貯湯サーミスタ６６による検出温度Ｔａが貯湯許可温度Ｔｂ未満のときは、上部開閉弁２８を閉弁して、補助加熱器３５にて加熱した湯水の全量を風呂用熱交換部４３に供給して、追焚き単独運転を優先させる状態で、貯湯放熱並行運転状態における湯水循環手段Ｅの運転を制御するように構成されている( ステップ＃６，＃７) 。
【００７１】
前記貯湯・暖房同時運転は、図１０のフローチャートに示すように、湯水循環手段Ｅを貯湯・暖房同時運転状態に切り換えて、循環ポンプＰ１を作動させるとともに、暖房ポンプＰ２を作動させて暖房端末からの熱媒を暖房戻り路４６および暖房往き路４７を通して循環させる( ステップ＃１１〜＃１３) 。
そして、補助加熱器３５を一定出力( ３４０kcal/min( 約１．４３×１０6 Ｊ/min))で運転して、循環量が貯湯サーミスタ６６による検出温度が貯湯許可温度Ｔｂとなる循環量になるように水比例バルブ６５の開度を調整するとともに、上部開閉弁２８と暖房用開閉弁４４とを暖房負荷に応じて、つまり、暖房負荷が大きいほど暖房用開閉弁４４の開弁時間の割合が大きくなるように周期的に択一的に開弁させる開閉弁開閉作動により、補助加熱器３５にて加熱した湯水を貯湯タンク１と暖房用熱交換部４２とに分配供給する( ステップ＃１４，＃１５) 。
また、貯湯タンク１の上部に供給する湯水の温度、つまり、貯湯サーミスタ６６による検出温度Ｔａが貯湯許可温度Ｔｂ未満のときは、上部開閉弁２８を閉弁して、助加熱器３５にて加熱した湯水の全量を暖房用熱交換部４２に供給して、暖房単独運転を優先させる状態で、貯湯放熱並行運転状態における湯水循環手段Ｅの運転を制御するように構成されている( ステップ＃１６，＃１７) 。
【００７２】
前記貯湯・追焚き・暖房同時運転は、図１１のフローチャートに示すように、湯水循環手段Ｅを貯湯・追焚き・暖房同時運転状態に切り換えて、循環ポンプＰ１を作動させるとともに、風呂ポンプＰ３を作動させて浴槽内の湯水を風呂戻り路１８および風呂往き路１９を通して循環させ、暖房ポンプＰ２を作動させて暖房端末からの熱媒を暖房戻り路４６および暖房往き路４７を通して循環させる( ステップ＃２１〜＃２３) 。
そして、補助加熱器３５を一定出力( ３４０kcal/min( 約１．４３×１０6 Ｊ/min))で運転して、循環量が貯湯サーミスタ６６による検出温度が貯湯許可温度Ｔｂとなる循環量になるように水比例バルブ６５の開度を調整するとともに、上部開閉弁２８と、風呂用開閉弁４５及び暖房用開閉弁４４とを追焚き負荷と暖房負荷との合計負荷に応じて、つまり、合計負荷が大きいほど風呂用開閉弁４５及び暖房用開閉弁４４の開弁時間の割合が大きくなるように周期的に択一的に開弁させる開閉弁開閉作動により、補助加熱器３５にて加熱した湯水を貯湯タンク１と暖房用熱交換部４２と風呂用熱交換部４３とに分配供給する( ステップ＃２４，＃２５) 。
また、貯湯タンク１の上部に供給する湯水の温度、つまり、貯湯サーミスタ６６による検出温度Ｔａが貯湯許可温度Ｔｂ未満のときは、上部開閉弁２８を閉弁して、助加熱器３５にて加熱した湯水の全量を暖房用熱交換部４２と風呂用熱交換部４３とに供給して、追焚き・暖房同時運転を優先させる状態で、貯湯放熱並行運転状態における湯水循環手段Ｅの運転を制御するように構成されている( ステップ＃２６，＃２７) 。
【００７３】
前記貯湯運転の制御動作について、図１２のフローチャートに基づいて説明を加えると、貯湯タンク１の貯湯量が最低確保量未満であって、かつ、給湯栓が開操作されて給湯中であると、給湯優先運転を実行する。
貯湯タンク１の貯湯量が最低確保量以上であるか、給湯中でなければ、給湯優先運転を実行していると、補助加熱器３５の運転および循環ポンプＰ１の作動を停止させて給湯優先運転停止処理を実行する。
そして、追焚き要求または暖房要求のいずれかの放熱要求があると、放熱運転を実行し、放熱要求がないときは貯湯運転制御を実行して、貯湯タンク１の貯湯量が目標貯湯量になると、設定時間貯湯タンク１への貯湯を継続したのち、エンジンヒートポンプ式冷暖房装置Ｂまたは加熱部４の運転を停止させるとともに、循環ポンプＰ１の作動を停止させかつ開弁している開閉弁を閉弁させて湯水循環手段Ｅの運転を停止させる貯湯運転停止処理を実行する。
【００７４】
前記貯湯運転制御は、エンジンヒートポンプ式冷暖房装置Ｂが空調暖房運転中であるか否かにより、ヒートポンプ貯湯運転( 以下、ＨＰ貯湯運転という) または補助加熱貯湯運転のいずれかを選択して実行され、エンジンヒートポンプ式冷暖房装置Ｂが空調暖房運転中に貯湯リモコン９２から指令される加熱要求としての貯湯要求があると、補助加熱器３５を運転させて貯湯する補助加熱貯湯運転を実行させて補助加熱優先運転を実行し、エンジンヒートポンプ式冷暖房装置Ｂが空調暖房運転中ではないときに貯湯要求があると、エンジンヒートポンプ式冷暖房装置Ｂを空調暖房運転させて貯湯するＨＰ貯湯運転を実行させてヒートポンプ優先運転を実行するように構成されている。
【００７５】
そして、エンジンヒートポンプ式冷暖房装置Ｂが空調暖房運転中に空調リモコン９３からの空調暖房要求が解除された状態において、貯湯要求があると、エンジンヒートポンプ式冷暖房装置Ｂの運転を継続したままＨＰ貯湯運転を実行するように構成されている。
また、ＨＰ貯湯運転中に、エンジンヒートポンプ式冷暖房装置Ｂへの空調暖房要求があると、ガスエンジン７７の回転速度や暖房要求されている部屋の暖房負荷などに基づいて、ＨＰ貯湯運転を継続している状態でのエンジンヒートポンプ式冷暖房装置Ｂの空調能力が空調負荷に対して余裕があるのか不足しているのかを判別し、空調能力に余裕があるときには、ＨＰ貯湯運転を継続するとともに、エンジンヒートポンプ式冷暖房装置Ｂにて空調暖房運転させる空調追加運転を実行し、空調能力が不足しているときには、ＨＰ貯湯運転から補助加熱貯湯運転に切り換えかつエンジンヒートポンプ式冷暖房装置Ｂにて空調暖房運転させるように構成されている。
【００７６】
前記貯湯運転におけるＨＰ貯湯運転について具体的に説明すると、まず、エンジンヒートポンプ式冷暖房装置Ｂを暖房運転させて高圧冷媒をヒートポンプ式加熱器３３に供給するとともに、湯水循環手段ＥをＨＰ貯湯初期運転状態にて運転させ、貯湯タンク１内の湯水をヒートポンプ式加熱器３３にて加熱させる。
そして、貯湯サーミスタ６６にて検出される温度が貯湯許容温度以上になると、湯水循環手段ＥをＨＰ貯湯初期運転状態からＨＰ貯湯運転状態に切り換えるとともに、貯湯タンク１の上部に貯湯される温水の温度が貯湯設定温度となるように、貯湯サーミスタ６６の検出情報に基づいて循環用水比例バルブ６５の開度を調整するようにしている。
【００７７】
このようにして、貯湯タンク１内の湯水が温度成層を形成しながら貯湯され、貯湯タンク１の貯湯量が貯湯リモコン９２などにより設定された目標貯湯量になると、設定時間貯湯タンク１への貯湯を継続したのち、エンジンヒートポンプ式冷暖房装置Ｂの運転を停止させるとともに、循環ポンプＰ１の作動を停止させかつ開弁している開閉弁を閉弁させて湯水循環手段Ｅの運転を停止させる。
ちなみに、目標貯湯量は、「少」、「中」、「満」のうちのひとつが選択でき、例えば、目標貯湯量として「中」が選択されているときには、中部サーミスタＳ３が貯湯設定温度よりも設定温度だけ低い温度を検出すると、貯湯タンク１の貯湯量が目標貯湯量になっていると検出するようにしている。
【００７８】
前記貯湯運転における補助加熱貯湯運転について具体的に説明すると、まず、湯水循環手段Ｅを補助加熱貯湯初期運転状態に切り換えて、貯湯タンク１の底部から取り出した湯水を補助加熱器３５にて加熱したのち、その温水を貯湯タンク１の底部に戻す補助加熱貯湯初期運転と、湯水循環手段Ｅを補助加熱貯湯運転状態に切り換えて、貯湯タンク１の底部から取り出した湯水を補助加熱器３５にて加熱したのち、その温水を貯湯タンク１の上部に供給する補助加熱貯湯運転とに切り換えて貯湯される。
【００７９】
つまり、貯湯ユニット制御部Ｃは、貯湯用目標温度Ｔｂよりも８℃高い温度を越える沸き上げ温度Ｔａ、又は、貯湯用目標温度Ｔｂよりも１５℃低い温度を越える沸き上げ温度Ｔａが貯湯サーミスタ６６により１秒間継続して検出されるまで、補助加熱貯湯初期運転状態にて湯水を１リットル/minの循環量Ｑで循環させる補助加熱貯湯初期運転を行い、貯湯用目標温度Ｔｂよりも８℃高い温度を越える沸き上げ温度Ｔａ、又は、貯湯用目標温度Ｔｂよりも１５℃低い温度を越える沸き上げ温度Ｔａが１秒間継続して検出されると、補助加熱貯湯運転状態に切り換えて、沸き上げ温度Ｔａが貯湯用目標温度Ｔｂになるように循環量Ｑを制御するように構成されている。
【００８０】
このようにして、貯湯タンク１内の湯水が温度成層を形成しながら貯湯され、貯湯タンク１の貯湯量が貯湯リモコン９２などにより設定された目標貯湯量になると、設定時間貯湯タンク１への貯湯を継続したのち、補助加熱器３５の運転を停止させるとともに、循環ポンプＰ１の作動を停止させかつ開弁している開閉弁を閉弁させて湯水循環手段Ｅの運転を停止させる。
【００８１】
前記排熱貯湯運転は、エンジンヒートポンプ式冷暖房装置Ｂの運転中においてそのエンジン排熱を利用して貯湯するもので、排熱貯湯初期運転状態に切り換えて、貯湯タンク１の底部から取り出した湯水をエンジン排熱利用式加熱器３４にて加熱したのち、その温水を貯湯タンク１の底部に戻す形態で湯水を循環させる排熱貯湯初期運転と、排熱貯湯運転状態に切り換えて、貯湯タンク１の底部から取り出した湯水をエンジン排熱利用式加熱器３４にて加熱したのち、その温水を貯湯タンク１の上部に供給する形態で湯水を循環させる排熱貯湯運転とに切り換えて貯湯される。
【００８２】
〔その他の実施形態〕
１．上記実施形態では、補助加熱器にて加熱した湯水を貯湯タンクと外部放熱部とに分配供給する構成を示したが、ヒートポンプ式加熱器やエンジン排熱利用式加熱器を併用して加熱した湯水や、ヒートポンプ式加熱器又はエンジン排熱利用式加熱器で加熱した湯水を貯湯タンクと外部放熱部とに分配供給しても良い。
２．上記実施形態では、複数の熱交換部を並列に接続してある外部放熱部を設けて、各熱交換部毎にその上流側に開閉弁を設ける構成を示したが、複数の熱交換部を直列に接続してある外部放熱部を設けて、その外部放熱部の上流側に開閉弁を設けても良い。
３．上記実施形態では、放熱運転において貯湯運転の必要が生じた場合に、貯湯放熱並行運転状態で湯水循環手段の運転を制御する構成を示したが、貯湯運転において放熱運転の必要が生じた場合に、貯湯放熱並行運転状態で湯水循環手段の運転を制御するようにしても良い。
【図面の簡単な説明】
【図１】貯湯式の給湯熱源装置( 貯湯ユニット) の概略構成図
【図２】貯湯式の給湯熱源装置( エンジンヒートポンプ式冷暖房装置) の概略構成図
【図３】制御ブロック図
【図４】制御動作を示すフローチャート
【図５】制御動作を示すフローチャート
【図６】制御動作を示すフローチャート
【図７】制御動作を示すフローチャート
【図８】制御動作を示すフローチャート
【図９】制御動作を示すフローチャート
【図１０】制御動作を示すフローチャート
【図１１】制御動作を示すフローチャート
【図１２】制御動作を示すフローチャート
【符号の説明】
１    貯湯タンク
２    外部放熱部
４    加熱手段
６    給湯路
２５  貯湯用湯水供給路
２８  開閉弁
４４  開閉弁
４５  開閉弁
９６  加熱用湯水流路
９７  放熱用湯水流路
９８  貯湯用湯水流路
９９  放熱用湯水供給路
Ｃ    制御手段
Ｅ    湯水循環手段
Ｐ１  循環ポンプ
Ｔａ  湯水の温度
Ｔｂ  貯湯許可温度
【図１】
0004174574.tif 000002
【図２】
0004174574.tif 000003
【図３】
0004174574.tif 000004
【図４】
0004174574.tif 000005
【図５】
0004174574.tif 000006
【図６】
0004174574.tif 000007
【図７】
0004174574.tif 000008
【図８】
0004174574.tif 000009
【図９】
0004174574.tif 000010
【図１０】
0004174574.tif 000011
【図１１】
0004174574.tif 000012
【図１２】
0004174574.tif 000013